(57)【要約】【課題】  顧客のカードにメッセージを表示させてサービス向上を図る。【解決手段】  カードは、情報記録部と可視情報の書き換えが外部エネルギーでなされる情報表示部とを備え、カードリーダライタは、情報記録部に対し情報を読み書きする読取書込手段と、情報表示部の表示を書き換える書換手段とを備え、店舗用コンピュータは、情報記録部及び情報表示部に対する情報を処理するデータ処理手段と、情報表示部に表示する伝達情報が記憶されたメッセージファイルとを備え、ホストコンピュータは、情報表示部に表示する伝達情報が記憶されたメッセージファイルを備え、カードリーダライタにカードがセットされた時に、店舗用コンピュータのメッセージファイル又はホストコンピュータのメッセージファイルに格納された１以上の伝達情報の中から選択して、カードリーダライタによりメッセージを情報表示部に書き込み、伝達情報を表示させる。【選択図】        図1
2004326815.tif 000002
【特許請求の範囲】
【請求項１】
カードと、カードリーダライタと、店舗用コンピュータと、前記店舗用コンピュータと通信回線で接続されたホストコンピュータとを備えたシステムにおいて、
前記カードは、情報記録部と可視情報の書き換えが外部エネルギーでなされる情報表示部とを備え、
前記カードリーダライタは、前記情報記録部に対し情報を読み書きする読取書込手段と、前記情報表示部の表示を書き換える書換手段と、を備え、
前記店舗用コンピュータは、前記情報記録部及び情報表示部に対する情報を処理するデータ処理手段と、前記情報表示部に表示する伝達情報が記憶されたメッセージファイルと、を備え、
前記ホストコンピュータは、前記情報表示部に表示する伝達情報が記憶されたメッセージファイルを備え、
前記カードリーダライタにカードがセットされた時に、前記店舗用コンピュータのメッセージファイル又は前記ホストコンピュータのメッセージファイルに格納された１以上の伝達情報の中から選択して、カードリーダライタによりメッセージを前記情報表示部に書き込み、伝達情報を表示させることを特徴とするカードの表示システム。
【請求項２】
前記情報記録部には、購入実績に基づく累計ポイントが記録され、前記店舗用コンピュータは、前記情報記録部から受け取った累計ポイントから取引状況を判定し、前記メッセージファイルに格納されている伝達情報を選択し、前記カードの情報表示部の表示を書き換える処理を行うことを特徴とする請求項１記載のカードの表示システム。
【請求項３】
前記情報記録部には、ＩＤコードが記録されていることを特徴とする請求項１記載のカードの表示システム。
【発明の詳細な説明】
【技術分野】
【０００１】
本発明は、カードを使用した顧客管理システムにおいて、カードの情報表示部へ必要に応じて各種の伝達情報をメッセージ文等として表示することで、顧客へのサービス向上を図ることを目的とする、カードの表示システムに関する。
【背景技術】
【０００２】
従来、各種のカード取り引きにおいて、カード表面に情報表示部を設け、顧客サービスとしてポイント点数を表示したり、残額等を表示する事は、既に行われている。
【０００３】
また、別の情報伝達媒体を用いる方法として、カード取り引きの際に、取引明細書を発行し、明細書用紙にポイント点数の他に、各種のメッセージを表示する方法等も知られている。
【発明の開示】
【発明が解決しようとする課題】
【０００４】
しかしながら、上記した従来の方法では、カード発行者（販売店等）側から、顧客に対して、必要に応じて伝達したいメッセージがある場合にも、簡単に顧客に知らしめる方法がなかった。
また、顧客へのサービスにおいても、一律なサービスしか行えず、購買実績のある顧客に対して特別なサービスを与えること等の販売戦略を図ろうとした場合に、その顧客へ簡単にその通知を行えなかった。
【０００５】
そこで、本発明の目的は、カード所有者である顧客に対して、該顧客の個人個人に応じてメッセージ等を簡単に伝達してサービス向上を図り、更に、購買実績に応じたサービスを顧客に提供できるようにするために、購買実績に応じたメッセージをカードに表示して顧客に伝達できるようにしたカードの表示システムを提供することである。
【課題を解決するための手段】
【０００６】
本発明のカードの表示システムは、前記課題を解決し目的を達成するために、カードと、カードリーダライタと、店舗用コンピュータと、前記店舗用コンピュータと通信回線で接続されたホストコンピュータとを備えたシステムにおいて、前記カードは、情報記録部と可視情報の書き換えが外部エネルギーでなされる情報表示部とを備え、前記カードリーダライタは、前記情報記録部に対し情報を読み書きする読取書込手段と、前記情報表示部の表示を書き換える書換手段と、を備え、前記店舗用コンピュータは、前記情報記録部及び情報表示部に対する情報を処理するデータ処理手段と、前記情報表示部に表示する伝達情報が記憶されたメッセージファイルと、を備え、前記ホストコンピュータは、前記情報表示部に表示する伝達情報が記憶されたメッセージファイルを備え、前記カードリーダライタにカードがセットされた時に、前記店舗用コンピュータのメッセージファイル又は前記ホストコンピュータのメッセージファイルに格納された１以上の伝達情報の中から選択して、カードリーダライタによりメッセージを情報表示部に書き込み、伝達情報を表示させることを特徴とする。
【０００７】
また、本発明のカードの表示システムは、前記情報記録部には、購入実績に基づく累計ポイントが記録され、前記店舗用コンピュータは、前記情報記録部から受け取った累計ポイントから取引状況を判定し、前記メッセージファイルに格納されている伝達情報を選択し、前記カードの情報表示部の表示を書き換える処理を行うことを特徴とする。
【０００８】
また、本発明のカードの表示システムは、前記情報記録部には、ＩＤコードが記録されていることを特徴とする。
【発明の効果】
【０００９】
本発明のカードの表示システムでは、カード利用者が、カードを使って商品購入等の取り引きをした際に、タイムリーに、店側から顧客に知らせたい伝言、メッセージ等をカードの情報表示部へ表示して伝達できる。
その結果、顧客一人一人の取引状況に対応したサービスと、そのサービス内容の表示ができ、店側における顧客サービスを多面的に拡大できる。
【００１０】
また、本発明のカードの表示システムは、顧客の購入実績に基づく累計ポイントをカードの情報記録部に記録し、その累計ポイントから取引状況を判定し、前記メッセージファイルに格納されている伝達情報を選択し、前記カードの情報表示部の表示を書き換える処理を行うことができるので、顧客毎に購買実績に応じたメッセージをカードに表示して顧客に伝達でき、その購買実績に応じたサービスを顧客に提供できるという効果がある。
【００１１】
また、本発明のカードの表示システムは、情報記録部にＩＤコードが記録されていることで、そのＩＤコードに基づいて、顧客マスターファイル、ポイントファイルから基準データを取得した運用を行なうことができるという効果がある。
【発明を実施するための最良の形態】
【００１２】
以下、本発明に係るカードの表示システムの実施例を図面を参照しながら詳述する。
図１は、本発明のカードの表示システムの一部を構成するカード２の外観図である。
カード２は、情報記録部２１として半導体メモリ２１１と磁気ストライプ２１２とを備え、また、任意位置、任意サイズで情報表示部２２が設けられている（同図では大きさの異なる情報表示部が二箇所にある）。
なお、情報表示部２２は、カードの表面、裏面のどちらへ設けてあってもよく、同図のように複数箇所に分けてもよく、複数の場合は、例えばポイント点数表示用やメッセージ表示用等と、用途に応じて使い分けてもよい。
なお、情報記録部２１は、メモリカードやＩＣカードと同様な半導体メモリの他に、磁気ストライプや光記憶手段等の任意の情報記憶手段を１以上備えれば良い。
【００１３】
また、情報表示部２２は、外部エネルギーとして熱、電界、磁界等を使用して可視情報を可逆的に繰り返し書き換えできる表示素子からなり、例えば、加熱冷却によって、透明状態と白濁状態とに可逆的に変化することで書換表示できる感熱記録方式の可逆表示素子や、電界と加熱により、書換表示できる電気・熱記録方式の可逆表示素子、磁場に感応する磁性粉をマイクロカプセル中に含有した磁気記録方式の可逆表示素子等が使用される。
なお、可逆表示素子で感熱記録方式には、脂肪酸を高分子マトリックス中に分散した高分子／脂肪酸複合膜等を、電気・熱記録方式には、液晶を高分子マトリックス中に分散した液晶／高分子複合膜等を利用したものがある。
【００１４】
図２は、本発明のカードの表示システム１の基本的構成に相当する一実施例のブロック図である。
同図に示す如く、カードの表示システム１は、カード２と、カードリーダライタ３と、データ処理部４とを備える。
カード２は、上述の如く磁気ストライプ等による情報記録部２１と、可視情報が外部エネルギーによって書換表示できる情報表示部２２を備える。
【００１５】
また、カードリータライタ３は、情報記録部２１に対し情報を読み書きする読取書込手段３１と、情報表示部２２の表示を書き換える書換手段３２を備える。
なお、書換手段３２は、情報表示部２２に使用する可逆表示素子のタイプにより、熱，電界，磁界等のエネルギーを可逆表示素子に対して加えるエネルギー印加手段を有する。
例えば、熱の場合はサーマルヘッド等で、電界の場合はマトリックス電極やローラ電極等で、磁界の場合は磁気ヘッド等を備えたものとなる。
【００１６】
また、データ処理部４は、カードの情報記録部から読み出したデータや書き込むデータ、情報表示部を書き換えて書き込むデータ、或いは取引処理に必要なデータ等を処理するＣＰＵ等からなるデータ処理手段４１を備え、さらに、前記情報表示部へ書き込むデータの一要素として、顧客へ伝達したい伝達情報をメッセージファイル等という形式で記憶する伝達情報記憶手段等を備える。
伝達情報記憶手段には、少なくとも１つの伝達情報が記憶されている。
【００１７】
次に、本発明のカードの表示システムを、主装置と端末装置とからなる一実施例について図面を参照しながら説明する。
図３は、本発明のカードの表示システム１の一実施例におけるシステム構成を示す。
同図の表示システム１では、店の各売場にカードリーダライタ３と、レジスタを用いた端末装置５が設置され、また、各店にその店の端末装置５のデータを処理するデータ処理部に該当する店舗用コンピュータ４ａが設置されている。
【００１８】
Ａ店舗においては、店舗用コンピュータ４ａは、ＣＰＵ等からなるデータ処理手段４１ａと、データ処理手段４１ａの制御下に置かれる伝達情報記憶手段としてのメッセージファイル４２ａと、顧客のＩＤ番号や氏名等が格納された顧客ファイル４３ａを備えている。
データ処理手段４１ａは、メッセージファイル４２ａからの伝達情報を端末装置５を経由してカードリーダライタ３からカードの情報表示部に書き込む。
Ａ店舗同様に、Ｂ店舗にもカードリーダライタ３、端末装置５、店舗用コンピュータ４ｂが設置されている。
【００１９】
なお、Ｂ店舗のメッセージファイル４２ｂ及び顧客ファイル４３ｂは、Ａ店舗と異なり、すなわち、各店独自であってもよい。
また、本社には、各店舗用コンピュータ４ａ，４ｂと通信回線で接続された、主装置であるホストコンピュータ６が設置されている。
ホストコンピュータ６は、データ処理部６１、メッセージファイル４２ｃ、顧客マスターファイル４３１を備える。
メッセージファイル４２ｃは後述する様に、本社独自の伝達情報が格納されている。なお、顧客マスターファイル４３１は、各店舗毎の顧客を総和したものが登録されている。
【００２０】
以上のようなシステム構成における顧客サービスの例を説明する。
顧客のカードの情報記録部には、購入実績に基づく累計ポイントを記録しておく。
そして、例えば、Ａ店舗では、取引状況としてポイント点数が３００００点に達した顧客に対してプレゼントを配布するキャンペーンを実施している。
この場合、３００００点以上のポイントになった顧客のカードの情報表示部へ伝達情報として「プレゼントがあります。受付へお寄り下さい。」とのメッセージを表示させる様にする。
このような場合、例えば、顧客が商品を購入する際に、店員にカードを渡し、そのカードを店員はカードリーダライタにセットして、カードに記録されている累計ポイントを読み取らせる。
すると、端末装置はカードリーダライタから取得した累計ポイントを店舗用コンピュータに渡し、上記所定の取引状況を満足するか判定を求める。
【００２１】
店舗用コンピュータでは、受け取った累計ポイントが３００００点以上あるか否か取引状況を判定し、そうであれば、メッセージファイルに格納されている伝達情報「プレゼントがあります。受付へお寄り下さい。」を選択し、カードの情報表示部の表示を書き換える処理を行うように端末装置に指示し、端末装置はカードリーダライタを用いて書換処理を行う。
【００２２】
なお、メッセージファイルには各種伝達情報を格納しておき、例えば、５００００点に達した場合には、「商品券５万円分とお取りかえします。」等の伝言を取引状況に応じて、自由に表示することができるように、予めデータ処理手段のプログラムを組んでおく。
【００２３】
また、Ａ店舗、Ｂ店舗と各店舗で、独自の取引状況の判定基準で、また独自のメッセージを使用することもできる。
このような各店舗毎のメッセージの他に、本社のホストコンピュータへもメッセージファイルを設けておけば、カードを持つ顧客の誕生日には（この際、カードの情報記録部には、ＩＤ番号等と共に誕生日、即ち生年月日も記録されている）、お花のプレゼントをしようという顧客サービスを考えた場合に、本社からのメッセージとして、顧客カードに記録された誕生日を読み取り当日が誕生日であれば、「お誕生日おめでとう、お花屋さんへおこしください！」とのメッセージをカードに表示することで、各顧客一人一人の売上状況や、個人的事情に合わせたサービス展開を図ることが可能となる。
【００２４】
このように、本発明のカードの表示システムでは、取引状況に応じて、各種の情報をカードに表示させて顧客に伝達することができるが、図４はその別の一例であり、累計ポイント点数の変化に応じて、ポイント点数及び「☆」の数等の伝達する表示内容を替える具体例を示す。
【００２５】
図４を説明すると、ポイント獲得状況に応じて三種類のメッセージを使い分けており、図４（ａ）はポイント会員として新規に加入時の、図４（ｂ）はポイント加算中の時の、図４（ｃ）は累計ポイントが或る所定の値に達した時の、表示させる伝達情報を示す。
また、図４（ｂ）のポイント加算中の時は、廉売案内等の店舗側固有の伝達情報も表示している。
かくして、累計ポイントの加算と共に、情報表示部は書き換えられて、その時に適した伝達情報を表示させる。
また、累計ポイントを使い切ったら、同一のカードを使用してポイント零の最初からスタートする。
従って、カードはスタンプカードのように使い捨てとせずに、リサイクル使用される。
このように、情報表示部に表示させる伝達情報としては、メッセージ文とポイント点数等の数値データ等と、目的に応じ適宜な内容を表示すればよい。
【００２６】
図５の本発明の他の実施例は、ＰＯＳ（販売時点管理）システムと連動する、ＰＯＳ連動型オンラインシステムであり、多店舗を有する大型店向けのシステムである。
図３のシステムでは端末装置５にレジスタを用いたが、図５のシステムでは、該端末装置５にリーダライタ３を備えたＰＯＳレジスタを用いる。
また、ＰＯＳのトランザクション処理に用いるトランザクションファイル４４をホストコンピュータ６に設ける等のＰＯＳ処理のための機能を有する。
【００２７】
図６の本発明の他の実施例は、商店街向けのオフラインのスタンドアロン型のシステムである。
図６のシステムでは、レジスタ５にカードリーダライタ３及びデータ処理部４を内蔵した装置として、レジスタ５のみで、取引状況に応じて各種メッセージをカードに書き込めるようにしてある。
なお、レジスタ５が内蔵するデータ処理部４内にはメッセージファイル４２と共に、ポイントファイル４５１を備える。
この場合は、ポイント点数は各カードの情報記録部にではなくポイントファイルに蓄積記憶される。
これは、カードを利用する店舗が単一で且つ単一のレジスタのみを使用する場合に可能となる。
【００２８】
なお、同図では、或る地域の商店街の各店舗で共通のポイント点数を扱えるように、商店街事務局で集計用にパーソナルコンピュータをホストコンピュータ６として設置しており、ここで顧客ファイル４３ｃ及びポイント管理ファイル４５２を管理している。
この為、各店舗でのポイント発生をホストコンピュータに集約する手段として、各店舗毎にＩＣメモリカードを用いたポイントメモリ７を所有しており、ポイントメモリ７を例えば日毎に先のレジスタにセットしてポイントファイルの内容を複写して、商店街事務局に出向きホストコンピュータに接続されているメモリカードリーダライタ８にセットし、ポイント管理ファイルの内容をオフラインで更新する。
また、或る顧客の他店舗でのポイント獲得状況は、この時、ホストコンピュータからポイントメモリ７に書込まれ、このポイントメモリを自店舗のレジスタに読み込ませて自店舗のポイントメモリファイルを更新する。
【００２９】
なお、本発明のカードの表示システムで、１以上の伝達情報を選択使用する判断基準となる取引状況とは、上述した各種の実施例でも判るように、顧客一人一人によって異なる個人的な取引状況の場合もあるし、また、店舗側の廉売案内、顧客の誕生日へのプレゼントサービス等と、顧客が任意の目的で店舗に立ち寄った時にカードをカードリーダにセットした時を以て、（購買有無に拘らず）取引状況とする場合もある。
また、伝達情報を取引状況に応じて選択し、或いは表示有無の基準となる、ポイント点数、誕生日等といった判定の基準データは、カードの情報記録部に記録されているものに限定されない。
例えば、カードの情報記録部にＩＤコードが記録されていれば、ＩＤコードでデータ処理部が保有する顧客マスターファイル、上記ポイントファイル等から、基準データを取得する運用形態でもよい。
【００３０】
本発明のカードの表示システムでは、例えば、顧客が商品購入の際、或いは任意にカードを店員に提示すると、店員はカードをカードリーダーライタにセットする。
すると、データ処理部は、カードからのポイント点数等、店舗側の顧客ファイル等から該カードの購買実績等、或いは来店したこと自身等の情報を該カードに関する取引状況であると、データ処理部は予め組まれたプログラムにより判断する。
そして、その取引状況に応じて伝達すべき情報を伝達情報記憶手段に格納された１以上の伝達情報の中から選択し、カードリーダライタによりカードの情報表示部に書き込む。
【図面の簡単な説明】
【００３１】
【図１】本発明のカードの表示システムで用いるカードの一実施例を示す外観図。
【図２】本発明のカードの表示システムの一実施例のブロック図。
【図３】本発明のカードの表示システムの一実施例のシステム概略構成図。
【図４】カードの情報表示部に取引状況に応じて変える伝達内容の一例。
【図５】本発明のカードの表示システムの他の実施例であるＰＯＳ連動型のシステム概略構成図（大型店向き）。
【図６】本発明のカードの表示システムの他の実施例であるシステム概略構成図（商店街向き）。
【符号の説明】
【００３２】
１  カードの表示システム
２  カード
２１  情報記録部
２１１  半導体メモリ
２１２  磁気ストライプ
２２  情報表示部
３  カードリーダライタ
３１  読取書込手段
３２  書換手段
４  データ処理部
４ａ  店舗用コンピュータ
４１，４１ａ，４１ｂ  データ処理手段
４２  伝達情報記憶手段
４２ａ，４２ｂ，４２ｃ  メッセージファイル
４３  顧客情報記憶手段
４３ａ，４３ｂ，４３ｃ  顧客ファイル
４３１  顧客マスターファイル
【図１】
2004326815.tif 000003
【図２】
2004326815.tif 000004
【図３】
2004326815.tif 000005
【図４】
2004326815.tif 000006
【図５】
2004326815.tif 000007
【図６】
2004326815.tif 000008